(57)【要約】【課題】従来の量水標は、目盛や数字に用いるステッカや塗料は経年によって変色したり退色したりし、さらには、流水や流砂によって削られて消えてしまう問題があり、特に、洪水によって一時に消えてしまうという問題がある。【解決手段】本体板および目盛と数字を共にステンレススチール製とし、本体板上に目盛と数字をそれぞれ溶接や鋲で重ねて取付けて凹凸を形成したことを特徴とし、さらに、本体板と目盛と数字の互いの表面の光の反射方向を変えるようにしたことを特徴とする。  【選択図】        図１
2007212186.tif 000002
【特許請求の範囲】
【請求項１】
ステンレススチール製の本体板にステンレススチール製の目盛および数字を溶接や鋲等の固着手段によって重ねて取付けて突出させ、凹凸を形成したこと特徴とする測定標。
【請求項２】
請求項１において、本体板の表面と目盛および数字の表面の光の反射方向を変えたことを特徴とする測定標。
【請求項３】
請求項２において、本体板と目盛および数字の表面加工の変化により互いの光の反射方向を変えたことを特徴とする測定標。
【請求項４】
請求項３において、本体板と目盛および数字のヘアラインの方向によって互いの光の反射方向を変えたことを特徴とする測定標。
【請求項５】
請求項３において、目盛および数字の表面を傾斜面として本体板と光の反射方向を変えたことを特徴とする測定標。
【発明の詳細な説明】
【技術分野】
【０００１】
本発明は、量水標や各種測量尺として用いることができる測定標に関する。
【背景技術】
【０００２】
従来の量水標は、アルミ板や鉄板の表面に目盛を構成するステッカを貼ったり目盛を塗装したりして目盛および数字を表示しているものである（例えば、特許文献１参照）。
【特許文献１】特開２００５−３４５４０３
【発明の開示】
【発明が解決しようとする課題】
【０００３】
しかしながら、上述した従来の技術においては、それを河川、湖、溜池、ダム、港湾等に設置した場合、ステッカや塗料は経年によって変色したり退色したりし、さらには、流水や流砂によって目盛や数字が削られて消えてしまう問題があり、特に、洪水によって一時に消えてしまうという問題がある。
本発明は、このような問題を解決することを課題とするものであり、退色したり流砂によって削られて消えてしまうことがないようにすることを目的とする。
【課題を解決するための手段】
【０００４】
そこで本発明は、本体板および目盛と数字を共にステンレススチール製とし、本体板上に目盛と数字をそれぞれ溶接や鋲で機械的に重ねて取付けて凹凸を形成したことを特徴とし、さらに、本体板と目盛および数字の表面の光の反射方向を変えるようにしたことを特徴とする。
【発明の効果】
【０００５】
このようにした本発明は、目盛や数字が退色したり消えたりすることがなく耐久性、耐化学性がある測定標となるという効果が得られる。
【発明を実施するための最良の形態】
【０００６】
以下、図面を参照して本発明の実施例を説明する。
【実施例】
【０００７】
以下に量水標を例にして実施例を説明する。
図１は第１の実施例を示す正面図、図２は側面図、図３は部分拡大側面図である。
図において、１はステンレススチール製の本体板であり、通常は略１ｍｍ程度の厚さであるが、必要に応じて任意に定めるもので、例えば２〜３ｍｍでもよく、さらにそれより厚くてもよい。
【０００８】
量水標は、一般的な大きさは、長さ１０００ｍｍ、幅１２０ｍｍであり、本発明もそのような寸法でよく、大きさは使用目的に応じて任意である。
この本体板１の表面には任意の一定方向、本実施例では長手方向にサンド加工等によりヘアラインを形成する。これはヘアラインによる表面加工に限るものではなく、各種切り込み溝、なし地、鎚打ち等の任意の表面加工でよく、さらには平滑面もこの表面加工の概念に入る。
【０００９】
２は目盛であり、通常は略１ｍｍ程度の厚さであるが、これも必要に応じて任意に定める。
目盛には長目盛２１と短目盛２２があり、長目盛は５５ｍｍ、短目盛は４５ｍｍとした、幅は共に２０ｍｍとし、１００ｍｍの中に長目盛と短目盛が交互に２０ｍｍ間隔で本体板１に重ねて取付けられ、１００ｍｍ毎に左右側部に沿って交互に配置される。
【００１０】
この目盛２の表面にも一定方向にヘアラインが加工してあり、そのヘアラインの方向は上記本体板１のヘアラインの方向と異なる方向となるようにする。通常は９０°異なるようにしてある。これによって、光の反射方向が本体板と異なり、目盛が遠方からでも明確に見えるようになる。それは、本体板１と光の反射方向が異なる表面加工であればよく、つまり本体板１の表面と目盛２の表面が相対的に光の反射方向が変わるような加工が施されていればよい。なお、表面加工は上記の本体板と同様に任意であり、また、本体板１と目盛の表面加工が同一の加工である必要もない。
【００１１】
３は数字であり、通常は略１ｍｍ程度の厚さであるが、これも必要に応じて任意に定める。
数字３は１００ｍｍ毎に本体板１に重ねて取付けられる。
この数字３の表面にも目盛２と同方向のヘアラインができるように加工してある。これによって、光の反射方向が本体板と異なり、目盛と同様に明確に見えるようになる。このヘアラインによる表面加工も上記目盛と同様であり、本体板１との反射方向の相対関係で表面加工すればよい。
【００１２】
また、本体板１と目盛２および数字３を同一の表面加工であっても目盛と数字の本体板１への取付け時に目盛と数字を重ねる方向に傾斜させて取付けたり、図４に示す如く、上部と下部の厚さを変えて断面形状を台形にして傾斜面を形成することにより本体板１との光の反射方向を変えることもできる。これは平滑面の表面加工においては特に有効な手段となる。
【００１３】
このようにした目盛２と数字３は、それぞれ上記した位置に溶接や鋲等の固着手段によって本体板１上に重ねて取付けることにより凹凸が形成される。
なお、上記した本体板１の寸法、目盛の幅、形状および目盛間隔等は、一例を示すものであり、使用目的や形式によって種々異なるものであって、それらに合わせて目盛は製造され、取付け位置も定められる。また、寸法の単位も適宜に定められる。
【００１４】
そして、量水標の場合には、周囲の壁面や水中に立てた支持杭（塔）に、取付け孔４によってねじ止めして複数枚連続して取付けられることになる。
このようにした測定標によると、ステンレススチール製の本体板１と目盛２および数字３の光の反射方向が異なるようにしてあると共に目盛と数字が本体板１上に突出して凹凸を形成していることにより、その目盛２および数字３は遠方からでも確実に読み取ることができることになる。
【００１５】
本発明はこのように、本体板１と目盛２および数字３を共にステンレススチールを用い、本体板の表面にステッカを貼ったり塗装等の表面処理によって目盛や数字を表示したのではなく溶接や鋲等の機械的な固着手段によって突出するように重ねて構成したことにより、目盛や数字が経年変化を起こして退色してしまったり、流砂等によって削られて消去したりするようなことがなく、長期にわたって安定した表示をすることが可能となる。特に、洪水等によって一時に消去してしまうような事故が生じることがない。
【００１６】
さらに、本体板と目盛および数字の光の反射方向を変えたことにより同一素材の目盛や数字でも遠方からでも確実に目視できることになる。
また、ステンレススチールの本体板の上にステンレススチールの目盛を溶接等によって重ねて固着したことにより強度および耐久性があり、不要となったときには取り外して他の個所で再使用することができ、半永久的に使用することが可能となる。
【００１７】
また、本体板、目盛および数字のすべてをステンレススチールで構成したことにより、耐化学性があり、港湾や酸性の河川等の使用場所を選ばないものとして使用することができる。
【図面の簡単な説明】
【００１８】
【図１】実施例を示す正面図
【図２】同側面図
【図３】部分拡大側面図
【図４】断面形状台形の目盛の拡大側面図
【符号の説明】
【００１９】
１    本体板
２    目盛
２１  長目盛
２２  短目盛
３    数字
４    取付け孔
【図１】
2007212186.tif 000003
【図２】
2007212186.tif 000004
【図３】
2007212186.tif 000005
【図４】
2007212186.tif 000006